(57)【要約】【課題】特別な装置を用いることなく、水路の切換装置の異常の判定を行うことができる風呂給湯装置を提供する。【解決手段】風呂給湯装置１では、循環加熱水路８と気泡供給水路７とが、互いの一部を共用して形成され、制御装置３９の切換制御部３９ａが、切換装置３８によって選択的に切り換えられる。制御装置３９の異常判定部３９ｂは、循環加熱水路８に湯水を循環させる状態であり、且つ、気泡供給水路７のタンク３０に設けられた第１センサ３０ｂ、第２センサ３０ｃ又は第３センサ３０ｄがタンク３０の内部の水位の変化を検知したときに、切換装置３８に異常が生じていると判定する。【選択図】図１
2020122588.tif 000002
【特許請求の範囲】
【請求項１】
気体を溶解させた気体溶解水を浴槽に供給し、前記浴槽に貯められた湯水に気泡を発生させる気泡供給運転と、前記浴槽の内部の湯水を循環加熱する追い焚き運転とを実行可能な風呂給湯装置であって、
供給された湯水に気体を溶解させて前記気体溶解水を生成するタンクと、
前記気泡供給運転の際に、前記タンクを介して前記浴槽の湯水を循環させて、該湯水から前記気体溶解水を生成し、生成した該気体溶解水を前記浴槽に供給する気泡供給水路と、
前記追い焚き運転の際に、前記タンクを介さずに前記浴槽の湯水を循環させて、該湯水を加熱し、加熱した該湯水を前記浴槽に供給する循環加熱水路と、
前記気泡供給水路に湯水を導入させる第１状態、及び、前記循環加熱水路に湯水を循環させる第２状態を少なくとも含む複数の状態に選択的に切換可能な切換装置と、
前記タンクの内部の水位の変化を検知するセンサと、
制御装置とを備え、
前記循環加熱水路は、前記気泡供給水路の一部を共用して形成され、
前記制御装置は、前記切換装置の動作を制御する切換制御部と、前記切換装置に異常が生じているか否かを判定する異常判定部とを有し、
前記異常判定部は、前記第２状態であり、且つ、前記センサが前記タンクの内部の水位の変化を検知したときに、前記切換装置に異常が生じていると判定することを特徴とする風呂給湯装置。
【請求項２】
請求項１に記載の風呂給湯装置において、
前記切換制御部は、前記異常判定部が前記切換装置に異常が生じていると判定したときに、前記切換装置を前記第２状態から前記第１状態に切り換える第１の処理を実行し、該第１の処理を実行した後に、前記切換装置を前記第１状態から第２状態に切り換える第２の処理を実行することを特徴とする風呂給湯装置。
【請求項３】
請求項２に記載の風呂給湯装置において、
前記気泡供給水路に介装されたポンプを備え、
前記制御装置は、前記切換制御部が前記第１の処理を実行し、前記第２の処理を実行する前に、前記ポンプを駆動することを特徴とする風呂給湯装置。
【発明の詳細な説明】
【技術分野】
【０００１】
本発明は、浴槽に貯められた湯水に気泡を発生させる気泡供給運転と、浴槽の内部の湯水を循環加熱する追い焚き運転とを実行可能な風呂給湯装置に関する。
【背景技術】
【０００２】
従来、気体を溶解させた気体溶解水を浴槽に供給し、浴槽に貯められた湯水に気泡を発生させる気泡供給運転と、浴槽の内部の湯水を循環加熱する追い焚き運転とを実行可能な風呂給湯装置がある。この種の風呂供給装置としては、気泡供給運転の際に、浴槽の湯水から生成した気体溶解水を浴槽に供給するための水路と、追い焚き運転の際に、浴槽の湯水を循環加熱するための水路とを備えたものがある（例えば、特許文献１参照。）
特許文献１の風呂給湯装置では、循環加熱するための水路は、気体溶解水を浴槽に供給するための水路の一部を共用して形成されている。それらの水路の切り換えは、切換弁、逆止弁等によって構成された切換装置によって行われている。
【先行技術文献】
【特許文献】
【０００３】
【特許文献１】特開２００８−２８４１０９号公報
【発明の概要】
【発明が解決しようとする課題】
【０００４】
ところで、特許文献１のような風呂給湯装置では、切換装置になんらかの異常が生じている場合、気泡溶解水を適切に生成できないおそれがある。例えば、気泡供給運転の実行中に、気体溶解水を浴槽に供給するための水路から循環加熱するための水路に湯水が漏れ出してしまうと、タンクに湯水を十分に供給できずに、気体溶解水の生成が阻害されるおそれがあった。
【０００５】
そのため、このような風呂給湯装置では、切換装置の異常を検知したいとの要望があった。その検知の方法としては、例えば、水路に湯水の流れの状態を検知するセンサを設置して、そのセンサの検知結果に基づいて判定を行う方法が考えられる。
【０００６】
しかし、そのような方法を採用するためには、風呂給湯装置の本来の機能である気泡発生運転又は追い焚き運転のために必要な構成の他に、気体溶解水を浴槽に供給するための水路に湯水の流れの状態を検知するセンサという特別な装置を設ける必要がある。そのため、風呂給湯装置の構造の複雑化、コストの増加を招くおそれがあった。
【０００７】
本発明は以上の点に鑑みてなされたものであり、特別な装置を用いることなく、水路の切換装置に異常が生じているか否か判定を行うことができる風呂給湯装置を提供することを目的とする。
【課題を解決するための手段】
【０００８】
本発明の風呂給湯装置は、
気体を溶解させた気体溶解水を浴槽に供給し、前記浴槽に貯められた湯水に気泡を発生させる気泡供給運転と、前記浴槽の内部の湯水を循環加熱する追い焚き運転とを実行可能な風呂給湯装置であって、
供給された湯水に気体を溶解させて前記気体溶解水を生成するタンクと、
前記気泡供給運転の際に、前記タンクを介して前記浴槽の湯水を循環させて、該湯水から前記気体溶解水を生成し、生成した該気体溶解水を前記浴槽に供給する気泡供給水路と、
前記追い焚き運転の際に、前記タンクを介さずに前記浴槽の湯水を循環させて、該湯水を加熱し、加熱した該湯水を前記浴槽に供給する循環加熱水路と、
前記気泡供給水路に湯水を導入させる第１状態、及び、前記循環加熱水路に湯水を循環させる第２状態を少なくとも含む複数の状態に選択的に切換可能な切換装置と、
前記タンクの内部の水位を検知するセンサと、
制御装置とを備え、
前記循環加熱水路は、前記気泡供給水路の一部を共用して形成され、
前記制御装置は、前記切換装置の動作を制御する切換制御部と、前記切換装置に異常が生じているか否かを判定する異常判定部とを有し、
前記異常判定部は、前記第２状態であり、且つ、前記センサが前記タンクの内部の水位の変化を検知したときに、前記切換装置に異常が生じていると判定することを特徴とする。
【０００９】
このように、本発明の風呂給湯装置は、タンクの内部の水位（具体的には、気体溶解水を浴槽に供給する気泡供給水路に介装されたタンクに設けられているセンサの検知結果）を用いて、切換装置に異常が生じているか否かの判定を行っている。
【００１０】
ここで、気泡供給運転が可能な風呂供給装置においては、タンク、及び、タンクの内部の水位を検知するセンサは、いずれも気体溶解水を生成するために一般的に用いられる構成である。
【００１１】
そのため、本発明の風呂供給装置によれば、本来の機能である気泡発生運転又は追い焚き運転のために必要な構成の他に特別な装置を設けなくても、切換装置に異常が生じているか否かの判定を行うことができる。
【００１２】
また、本発明の風呂給湯装置においては、
前記切換制御部は、前記異常判定部が前記切換装置に異常が生じていると判定したときに、前記切換装置を前記第２状態から前記第１状態に切り換える第１の処理を実行し、該第１の処理を実行した後に、前記切換装置を前記第１状態から第２状態に切り換える第２の処理を実行することが好ましい。
【００１３】
本発明の風呂給湯装置では、気泡供給水路又は循環加熱水路に浴槽の湯水を循環させている。そのため、浴槽の湯水にゴミ等の異物が含まれていた場合には、その異物が切換装置を構成する機器（例えば、切換弁、逆止弁等）の内部に入り込んでしまい、その機器の動作を阻害して、切換装置に異常を生じさせてしまうおそれがある。
【００１４】
しかし、そのような異常は、切換装置の内部に一度湯水を流し込むことによって、その異常の原因となる異物が流されて、解消されることもある。そこで、このように、異常が生じていると判定されたときに、切換装置を一旦切り換えるように構成すると、異常の原因が切換装置に入り込んだ異物であった場合には、その異常を解消することができる。
【００１５】
また、本発明の風呂給湯装置においては、異常が生じていると判定したときに第１状態と第２状態との切り換えを行う構成の場合、
前記気泡供給水路に介装されたポンプを備え、
前記制御装置は、前記切換制御部が前記第１の処理を実行し、前記第２の処理を実行する前に、前記ポンプを駆動することが好ましい。
【００１６】
このように構成すると、異常の原因となる異物が流されやすくなるので、さらに異常を解消しやすくなる。
【図面の簡単な説明】
【００１７】
【図１】実施形態に係る風呂給湯装置の系統図。
【図２】図１の風呂給湯装置が給気運転を実行する場合における系統図。
【図３】図１の風呂給湯装置が給水運転を実行する場合における系統図。
【図４】図１の風呂給湯装置が追い焚き運転を実行する場合における系統図。
【図５】図１の風呂給湯装置が気泡供給運転の際に行う処理を示すフローチャート。
【図６】図１の風呂給湯装置が切換装置に異常が生じているか否かの判定の際に行う処理を示すフローチャート。
【発明を実施するための形態】
【００１８】
以下、図面を参照して、実施形態に係る風呂給湯装置１について説明する。風呂給湯装置１は、浴室に設置された浴槽２への湯はりを行う湯はり運転（浴槽２への給湯を行う運転）、及び、浴槽２に足し湯を行う足し湯運転等に加え、空気等の気体が溶解した気体溶解水を浴槽に供給して、浴槽２に貯められた湯水に気泡を発生させる気泡供給運転、及び、浴槽２の内部の湯水を循環加熱する追い焚き運転を実行可能なものである。
【００１９】
まず、図１〜図４を参照して、風呂給湯装置１の構成について説明する。なお、図２〜図４の系統図においては、理解を容易にするために、各状態において、風呂給湯装置１の各水路のうち、湯水の流れる部分を実線で示し、湯水の流れない部分を破線で示している。
【００２０】
図１に示すように、風呂給湯装置１は、気体溶解水を生成して、浴槽２に供給するための気泡発生装置３と、浴槽２の湯水を循環加熱するための熱源機４とを備えている。気泡発生装置３は、浴槽２及び熱源機４に接続されている。また、熱源機４は、気泡発生装置３に加え、浴槽２及び水道等の水供給源５に接続されている。気泡発生装置３は、独立したユニットとして構成されており、既存の風呂設備に追加可能となっている。
【００２１】
気泡発生装置３は、タンク３０と、タンク３０の上流側に接続されている第１水路３１（湯水導入路）と、タンク３０の下流側及び浴槽２に接続されている第２水路３２と、第２水路３２の中間部に接続されている第３水路３３と、第１水路３１のタンク３０側とは反対側の端部、第３水路３３の第２水路３２側の端部とは反対側の端部及び浴槽２に接続されている第４水路３４と、タンク３０に接続されている気体導入路３５とを備えている。
【００２２】
また、気泡発生装置３は、電動式の三方弁によって構成された第１切換弁３６及び第２切換弁３７を備えている。第１切換弁３６は、第１水路３１の端部、第３水路３３の端部及び第４水路３４の端部に接続されている。第２切換弁３７は、第２水路３２の中間部に介装されており、第３水路３３の第１切換弁３６側の端部とは反対側の端部が接続されている。
【００２３】
タンク３０には、第１水路３１を介して湯水が供給され、気体導入路３５から空気等の気体が供給される。タンク３０の内部では、供給された湯水に気体を溶解させて気体溶解水が生成される。生成された気体溶解水は、第２水路３２を介して、浴槽２に供給される、又は、第２水路３２、第３水路３３、熱源機４の循環水路４０、及び、第４水路３４を介して、浴槽２に排出される。
【００２４】
タンク３０は、その内部に、第１水路３１から供給された湯水を噴射するための噴射ノズル３０ａと、タンク３０の内部の湯水の水位を検知するための第１センサ３０ｂ、第２センサ３０ｃ、及び、第３センサ３０ｄとを備えている。
【００２５】
第１センサ３０ｂ、第２センサ３０ｃ、及び、第３センサ３０ｄは、公知の電極式の水位センサである。第１センサ３０ｂは、タンク３０が満水となったときの水位である高水位（第３水位）を検知する。第２センサ３０ｃは、高水位よりも低い中水位（第１水位）を検知する。第３センサ３０ｄは、中水位よりも低い低水位（第２水位）を検知する。
【００２６】
中水位及び低水位は、気泡供給運転の際に要求される気体溶解水の生成能力、タンク３０の容量、各水路の長さ、後述する各ポンプの性能、水供給源５の供給能力等に応じて、適宜設定される。
【００２７】
なお、本発明のセンサは、このような構成に限定されるものではない。例えば、電極式の水位センサに代わり、他の公知のセンサ（例えば、圧力式のセンサ等）を用いてもよい。また、例えば、第３水位として検出する水位は、必ずしもタンクが満水となる水位である必要はなく、第１水位及び第２水位と同様に、気泡供給運転の際に要求される気体溶解水の生成能力等に応じて設定してもよい。また、４つ以上の水位を検出できるように構成してもよい。
【００２８】
第１水路３１の一方の端部は、タンク３０の上流端に接続されており、他方の端部は、第１切換弁３６を介して、第３水路３３の端部、及び、第４水路の端部に接続されている。第１水路３１には、熱源機４の循環水路４０の下流端が接続されている。
【００２９】
第１水路３１には、循環水路４０の接続部と第１水路３１のタンク３０側の端部との間で、上流側から順に、第１水路３１を開閉するための電磁弁である閉止弁３１ａ（湯水導入弁）と、第１水路３１の内部の湯水をタンク３０に圧送するための第１ポンプ３１ｂ及び第２ポンプ３１ｃとが介装されている。
【００３０】
第２水路３２の一方の端部は、タンク３０の下流端に接続されており、他方の端部は、浴槽２の給湯口に設けられたアダプタ２ａを介して、浴槽２に接続されている。第２水路３２には、一方の端部側から順に、逆止弁３２ａと、第２切換弁３７とが介装されている。第２水路３２は、第２切換弁３７を境にして、タンク３０側の部分である第１部分３２ｂと、浴槽２側の部分である第２部分３２ｃとに分かれている。
【００３１】
第３水路３３の一方の端部は、第１切換弁３６に接続されており、他方の端部は、第２切換弁３７に接続されている。第３水路３３の中間部には、循環水路４０の上流端が接続されている。
【００３２】
第４水路３４の一方の端部は、第１切換弁３６を介して、第１水路３１のタンク３０側の端部とは反対側の端部、及び、第３水路３３の第２水路３２側の端部とは反対側の端部に接続されており、他方の端部は、浴槽２の給湯口に設けられたアダプタ２ａを介して、浴槽２に接続されている。
【００３３】
気体導入路３５の上流端は、気体供給源（不図示）に接続されており、下流端は、タンク３０に接続されている。気体導入路３５には、気体導入路３５を開閉するための電磁弁である気体導入弁３５ａが介装されている。
【００３４】
第１切換弁３６は、第１水路３１のタンク３０側の端部とは反対側の端部と、第３水路３３の第２水路３２側の端部とは反対側の端部と、第４水路３４の浴槽２側の端部とは反対側の端部とに接続されている。
【００３５】
この第１切換弁３６を切り換えることによって、第１水路３１から第４水路３４に湯水が流れる状態（図２及び図４参照）と、第４水路３４から第３水路３３に湯水が流れる状態（図３参照）とが切り換えられる。
【００３６】
第２切換弁３７は、第２水路３２のタンク３０側の部分である第１部分３２ｂの下流端と、第２水路３２の浴槽２側の部分である第２部分３２ｃの浴槽２側の端部とは反対側の端部と、第３水路３３の第２水路３２側の端部とに接続されている。
【００３７】
この第２切換弁３７を切り換えることによって、第２水路３２の第１部分３２ｂから第３水路３３に湯水が流れる状態（図２参照）と、第２水路３２の第１部分３２ｂから第２部分３２ｃに湯水が流れる状態（図３参照）と、第２水路３２の第２部分３２ｃから第３水路３３に湯水が流れる状態（図４参照）とが切り換えられる。
【００３８】
気泡発生装置３では、閉止弁３１ａ、逆止弁３２ａ、第１切換弁３６、及び、第２切換弁３７によって、切換装置３８が構成されている。この切換装置３８によって、後述する排出水路６（図３参照）を介してタンク３０の内部の湯水を浴槽２に排出する給気状態と、後述する気泡供給水路７（図３参照）に湯水を循環させる給水状態と、後述する循環加熱水路８（図４参照）に湯水を循環させる循環加熱状態とが切り換えられる。
【００３９】
また、気泡発生装置３は、制御装置３９を備えている。制御装置３９は、実装されたハードウェア構成又はプログラムにより実現される機能（処理部）として、切換制御部３９ａと異常判定部３９ｂとを有している。
【００４０】
切換制御部３９ａは、ユーザからの指示を示す信号に基づいて、又は、第１センサ３０ｂ、第２センサ３０ｃ、及び、第３センサ３０ｄの検知した水位に基づいて、切換装置３８を構成する弁（すなわち、閉止弁３１ａ、逆止弁３２ａ、第１切換弁３６、及び、第２切換弁３７）の開閉、並びに、第１ポンプ３１ｂ及び第２ポンプ３１ｃの駆動及び停止を制御する。
【００４１】
異常判定部３９ｂは、第１センサ３０ｂ、第２センサ３０ｃ、及び、第３センサ３０ｄの検知した水位に基づいて、切換装置３８を構成する閉止弁３１ａ、逆止弁３２ａ、第１切換弁３６、及び、第２切換弁３７のいずれかに、異常が生じているか否かを判定する。
【００４２】
熱源機４は、気泡発生装置３の第３水路３３及び第１水路３１に接続されている循環水路４０と、水供給源５及び循環水路４０に接続されており、水供給源５からの水を風呂給湯装置１に供給するための注水路４１とを備えている。
【００４３】
循環水路４０の上流端は、気泡発生装置３の第３水路３３の中間部に接続されており、下流端は、第１水路３１の閉止弁３１ａと第１切換弁３６との間となる部分に接続されている。循環水路４０の中間部には、注水路４１の下流端が接続されている。
【００４４】
循環水路４０の注水路４１の接続部と下流端との間には、循環水路４０の内部の湯水を第１水路３１に圧送するための第３ポンプ４０ａが介装されている。また、第３ポンプ４０ａの下流側には、循環水路４０の内部の湯水を加熱するための第１熱源部４０ｂが設けられている。
【００４５】
注水路４１の上流端は、水供給源５に接続されており、下流端は、循環水路４０の上流端と第３ポンプ４０ａとの間となる部分に接続されている。
【００４６】
注水路４１には、注水路４１を開閉するための電磁弁である注水弁４１ａが介装されている。また、注水弁４１ａの上流側には、注水路４１の内部の湯水を加熱するための第２熱源部４１ｂが設けられている。
【００４７】
図２に示すように、このように構成されている風呂給湯装置１では、気泡発生装置３の備えている水路と、熱源機４の備えている水路とによって、排出水路６が形成されている。
【００４８】
具体的には、第２水路３２の第１部分３２ｂと、第３水路の第２切換弁３７と循環水路４０の上流端の接続部との間の部分、循環水路４０、第１水路３１の循環水路４０の下流端の接続部と第１切換弁３６との間の部分、及び、第４水路３４によって、排出水路６が形成されている。
【００４９】
この排出水路６は、気泡供給運転の際に（より具体的には、気泡供給運転における後述する給気運転の際に）、タンク３０の内部に残存する湯水を浴槽２に排出するための水路である。
【００５０】
また、図３に示すように、このように構成されている風呂給湯装置１では、気泡発生装置３の備えている水路と、熱源機４の備えている水路とによって、気泡供給水路７が形成されている。
【００５１】
具体的には、第１水路３１の循環水路４０の下流端の接続部とタンク３０との間の部分、第２水路３２、第４水路３４、第３水路３３の第１切換弁３６と循環水路４０の上流端の接続部との間の部分、及び、循環水路４０によって、気泡供給水路７が形成されている。
【００５２】
この気泡供給水路７は、気泡供給運転の際に（より具体的には、気泡供給運転における後述する給水運転の際に）、タンク３０を介して浴槽２の湯水を循環させて、その湯水から気体溶解水を生成し、生成した気体溶解水を浴槽２に供給するための水路である。
【００５３】
また、図４に示すように、このように構成されている風呂給湯装置１では、気泡発生装置３の備えている水路と、熱源機４の備えている水路とによって、循環加熱水路８が形成されている。
【００５４】
具体的には、第２水路３２の第２部分３２ｃ、第３水路の第２切換弁３７と循環水路４０の上流端の接続部との間の部分、循環水路４０、第１水路３１の循環水路４０の下流端の接続部と第１切換弁３６との間の部分、及び、第４水路３４によって、循環加熱水路８が形成されている。
【００５５】
この循環加熱水路８は、追い焚き運転の際に、タンク３０を介さずに浴槽２の湯水を循環させて、その湯水を加熱し、加熱した湯水を浴槽２に供給する水路である。
【００５６】
このように、排出水路６、気泡供給水路７、及び、循環加熱水路８は、互いにそれぞれの一部を共用して形成されているので、切換装置３８の動作によって、選択的に切り換えられる。
【００５７】
次に、図２〜図６を参照して、風呂給湯装置１が気泡供給運転、及び、追い焚き運転の際に行う動作及び処理について説明する。なお、図２〜図４の系統図においては、理解を容易にするために、各状態において、風呂給湯装置１の各水路のうち、湯水の流れる部分を実線で示し、湯水の流れない部分を破線で示している。
【００５８】
まず、図２，図３及び図５を参照して、風呂給湯装置１が気泡供給運転の際に行う動作及び処理について説明する。図２は、気泡供給運転に含まれる給気運転を実行する場合における系統図である。図３は、気泡供給運転に含まれる給水運転を実行する場合における系統図である。図５は、気泡供給運転の際に制御装置３９が実行する制御を示すフローチャートである。
【００５９】
図５に示すように、気泡発生装置３では、タンク３０から気体溶解水を導出するとともに、タンク３０に気体を供給する給気運転（図５／ＳＴＥＰ１０）と、タンク３０の内部で気体溶解水を生成するとともに、生成した気体溶解水をタンク３０から導出する給水運転（図５／ＳＴＥＰ１２，１４）とが、交互に繰り返し実行される。すなわち、気泡発生装置３は、いわゆる間欠式の気泡発生装置として構成されている。
【００６０】
ここで、図２及び図３の系統図、並びに、図５のフローチャートを参照して、気泡供給運転の際に制御装置３９が行う処理（気泡発生方法）について説明する。
【００６１】
ここで、以下の説明においては、気泡供給運転の開始前の状態において、タンク３０の内部には、湯水が満水となる高さまで貯まっている状態（すなわち、第１センサ３０ｂによって高水位が検知されている状態）となっているとする。
【００６２】
また、風呂給湯装置１の水路は、循環加熱水路８に湯水が循環する状態（図４参照）となっている。このとき、風呂給湯装置１の備えている弁及びポンプは、以下の状態になっている。
【００６３】
閉止弁３１ａ：閉状態
第１ポンプ３１ｂ及び第２ポンプ３１ｃ：停止
気体導入弁３５ａ：閉状態
第１切換弁３６：第１水路３１と第４水路３４とを接続した状態
第２切換弁３７：第２水路３２の第２部分３２ｃと第３水路３３とを接続した状態
第３ポンプ４０ａ：駆動
注水弁４１ａ：閉状態
【００６４】
この状態において、気泡供給運転の実行を指示する信号が認識されると、まず、制御装置３９は、タンク３０から残存していた気体溶解水を導出するとともに、タンク３０に気体を供給する給気運転を開始する（図５／ＳＴＥＰ１０）。
【００６５】
具体的には、制御装置３９の切換制御部３９ａが、気体導入弁３５ａを開状態にすることと、第２切換弁３７を切り換えることとによって、風呂給湯装置１の備えている弁及びポンプを以下の状態とする。
【００６６】
閉止弁３１ａ：閉状態
第１ポンプ３１ｂ及び第２ポンプ３１ｃ：停止
気体導入弁３５ａ：開状態
第１切換弁３６：第１水路３１と第４水路３４とを接続した状態
第２切換弁３７：第２水路３２の第１部分３２ｂと第３水路３３とを接続した状態
第３ポンプ４０ａ：駆動
注水弁４１ａ：閉状態
【００６７】
これにより、図２に示すように、風呂給湯装置１の水路は、排出水路６となり、タンク３０の内部に残存している気体溶解水が、浴槽２に排出される。その結果、タンク３０の水位は、時間の経過とともに低下していく。
【００６８】
次に、制御装置３９は、第２センサ３０ｃによってタンク３０の内部の水位が中水位にまで低下したか否かを判定する（図５／ＳＴＥＰ１１）。
【００６９】
タンク３０の内部の水位が中水位にまで低下していないと判定された場合（ＳＴＥＰ１１でＮＯの場合）、制御装置３９は、所定の制御間隔で同じ判定を繰り返す。
【００７０】
一方、タンク３０の内部の水位が中水位にまで低下したと判定された場合（ＳＴＥＰ１１でＹＥＳの場合）、制御装置３９は、タンク３０の内部で気体溶解水を生成するための準備として、給水運転の一部の動作を開始する（図５／ＳＴＥＰ１２）。
【００７１】
具体的には、制御装置３９の切換制御部３９ａが、閉止弁３１ａを開状態にするように動作を開始させることと、第１切換弁３６及び第２切換弁３７の切り換えを開始させることとによって、風呂給湯装置１の備えている弁及びポンプを以下の状態とする。
【００７２】
閉止弁３１ａ：開状態となるよう動作
第１ポンプ３１ｂ及び第２ポンプ３１ｃ：停止
気体導入弁３５ａ：開状態
第１切換弁３６：第１水路３１と第４水路３４とを接続した状態から、第３水路３３と第４水路３４とを接続した状態になるよう動作
第２切換弁３７：第２水路３２の第１部分３２ｂと第３水路３３とを接続した状態から、第２水路３２の第１部分３２ｂと第２部分３２ｃとを接続した状態となるよう動作
第３ポンプ４０ａ：駆動
注水弁４１ａ：閉状態
【００７３】
これにより、風呂給湯装置１では、給気運転を実行しながら、第１水路３１（ひいては、タンク３０）に湯水が供給可能な状態となる。
【００７４】
次に、制御装置３９は、第３センサ３０ｄによってタンク３０の内部の水位が低水位にまで低下したか否かを判定する（図５／ＳＴＥＰ１３）。
【００７５】
タンク３０の内部の水位が低水位にまで低下していないと判定された場合（ＳＴＥＰ１３でＮＯの場合）、制御装置３９は、所定の制御間隔で同じ判定を繰り返す。
【００７６】
一方、タンク３０の内部の水位が低水位にまで低下したと判定された場合（ＳＴＥＰ１３でＹＥＳの場合）、制御装置３９は、給気運転を終了するとともに、給水運転の残りの動作を開始する（図５／ＳＴＥＰ１４）。
【００７７】
具体的には、制御装置３９の切換制御部３９ａが、閉止弁３１ａを開状態にすることを完了させることと、気体導入弁３５ａを閉状態にすることと、第１ポンプ３１ｂ及び第２ポンプ３１ｃを駆動することと、第１切換弁３６及び第２切換弁３７を切り換えること（厳密には、切り換えることを完了させること）とによって、風呂給湯装置１の備えている弁及びポンプを以下の状態とする。
【００７８】
閉止弁３１ａ：開状態
第１ポンプ３１ｂ及び第２ポンプ３１ｃ：駆動
気体導入弁３５ａ：閉状態
第１切換弁３６：第３水路３３と第４水路３４とを接続した状態
第２切換弁３７：第２水路３２の第１部分３２ｂと第２部分３２ｃとを接続した状態
第３ポンプ４０ａ：駆動
注水弁４１ａ：閉状態
【００７９】
これにより、図３に示すように、風呂給湯装置１の水路は、気泡供給水路７となり、タンク３０の内部で気体溶解水が生成されるとともに、生成した気体溶解水がタンク３０から導出される。ここで、タンク３０に加圧された湯水が導入される速度は、タンク３０から気体溶解水の導出される速度よりも大きい。その結果、タンク３０の内部の水位は、時間の経過とともに上昇していく。
【００８０】
次に、制御装置３９は、第１センサ３０ｂによってタンク３０の内部の水位が高水位にまで上昇したか否かを判定する（図５／ＳＴＥＰ１５）。
【００８１】
タンク３０の内部の水位が高水位にまで上昇していないと判定された場合（ＳＴＥＰ１５でＮＯの場合）、制御装置３９は、所定の制御間隔で同じ判定を繰り返す。
【００８２】
一方、タンク３０の内部の水位が高水位にまで上昇したと判定された場合（ＳＴＥＰ１５でＹＥＳの場合）、制御装置３９は、停止を指示する旨の信号が有ったか否かを認識する（図５／ＳＴＥＰ１６）。
【００８３】
停止を指示する旨の信号が有ったと認識されなかった場合（ＳＴＥＰ１６でＮＯの場合）、ＳＴＥＰ１０に戻り、制御装置３９は、再度、給気運転を開始する。
【００８４】
具体的には、制御装置３９の切換制御部３９ａが、閉止弁３１ａを閉状態にすることと、気体導入弁３５ａを開状態にすることと、第１ポンプ３１ｂ及び第２ポンプ３１ｃを停止することと、第１切換弁３６及び第２切換弁３７を切り換えることとによって、風呂給湯装置１の備えている弁及びポンプを以下の状態とする。
【００８５】
閉止弁３１ａ：閉状態
第１ポンプ３１ｂ及び第２ポンプ３１ｃ：停止
気体導入弁３５ａ：開状態
第１切換弁３６：第１水路３１と第４水路３４とを接続した状態
第２切換弁３７：第２水路３２の第１部分３２ｂと第３水路３３とを接続した状態
第３ポンプ４０ａ：駆動
注水弁４１ａ：閉状態
【００８６】
これにより、図２に示すように、風呂給湯装置１の水路は、再び排出水路６となり、タンク３０の内部に残存する気体溶解水が、浴槽２に排出される。
【００８７】
一方、停止を指示する旨の信号があったと認識された場合（ＳＴＥＰ１６でＹＥＳの場合）、制御装置３９は、気体溶解水の生成、及び、生成した気体溶解水の浴槽２への供給を停止して（図５／ＳＴＥＰ１７）、今回の処理を終了する。
【００８８】
具体的には、制御装置３９の切換制御部３９ａが、少なくとも、閉止弁３１ａを閉状態にすることと、第１ポンプ３１ｂ、第２ポンプ３１ｃ及び第３ポンプ４０ａを停止することによって、タンク３０への湯水の導入、タンク３０からの湯水の導出が停止される。例えば、切換制御部３９ａが、風呂給湯装置１の水路を、気泡供給水路７から循環加熱水路８に切り換える。
【００８９】
このように、風呂給湯装置１に組み込まれている気泡発生装置３では、最も水位が低くなる第２水位が検知されたことではなく、第２水位よりも高い第１水位が検知されたことに基づいて、閉止弁３１ａ、第１切換弁３６及び第２切換弁３７が動作を開始する。すなわち、給水運転におけるタンク３０への湯水の供給の準備が行われる。
【００９０】
これにより、気泡発生装置３では、給気運転から給水運転への切り換えを開始した後、従来の気泡発生装置よりも迅速にタンク３０の内部に湯水が供給される。ひいては、従来の気泡発生装置よりも、気体溶解水を迅速に生成することができる。
【００９１】
したがって、気泡発生装置３によれば、給水運転に切り換わった後に気体溶解水が迅速に生成されるので、給気運転から給水運転に切り換わった後に気体溶解水を供給するまでのタイムラグを短縮して、気体溶解水を安定して供給することができる。
【００９２】
なお、本実施形態の気泡発生装置３では、第１センサ３０ｂによって検知される水位である高水位を、タンク３０が満水となったときの水位としている。そのため、気泡発生装置３では、タンク３０の貯水性能を最大限に利用して構造上可能な限り多く気体溶解水を貯めた後に、給気運転が開始されることになる。これにより、給水運転から給気運転に切り換わるまでの時間を最大限長く保つことができるので、気体溶解水をさらに安定して供給することができる。
【００９３】
しかし、本発明の気泡発生装置は、このような構成に限定されるものではなく、給気運転の実行中に、タンクの内部の水位がいわゆる低水位よりも高い水位を検知した際に給水運転の一部の動作を実行するものであればよい。具体的には、タンクへ湯水を供給するための水路を介して、タンクに湯水を供給し得る状態にするための動作を実行するためのものであればよい。
【００９４】
例えば、本実施形態における第２センサ３０ｃを省略し、第１センサ３０ｂによってタンク３０の内部の水位が高水位ではなくなったことが検知された後、所定時間経過後、且つ、第３センサ３０ｄが低水位を検知する前に、閉止弁３１ａ、第１切換弁３６及び第２切換弁３７の動作を開始し、その後、第３センサ３０ｄが低水位を検知した際に、気体導入弁３５ａを閉状態にすることと、第１ポンプ３１ｂ及び第２ポンプ３１ｃを駆動することとによって、タンク３０に湯水を導入し得る状態にするように構成してもよい。
【００９５】
また、例えば、本実施形態において、タンク３０の内部の水位が中水位にまで低下したと判定された場合に、閉止弁３１ａ、第１切換弁３６及び第２切換弁３７の全ての動作を開始するのではなく、少なくとも湯水導入弁である閉止弁３１ａの動作を開始するように構成してもよい。
【００９６】
次に、図４を参照して、風呂給湯装置１が追い焚き運転の際に行う動作及び処理について説明する。図４は、追い焚き運転を実行する場合における系統図である。
【００９７】
図４に示すように、追い焚き運転を実行する場合、風呂給湯装置１の水路は、循環加熱水路８に湯水が循環する状態となっている。このとき、風呂給湯装置１の備えている弁及びポンプは、以下の状態になっている。
【００９８】
閉止弁３１ａ：閉状態
第１ポンプ３１ｂ及び第２ポンプ３１ｃ：停止
気体導入弁３５ａ：閉状態
第１切換弁３６：第１水路３１と第４水路３４とを接続した状態
第２切換弁３７：第２水路３２の第２部分３２ｃと第３水路３３とを接続した状態
第３ポンプ４０ａ：駆動
注水弁４１ａ：閉状態
【００９９】
このとき、浴槽２の湯水は、循環加熱水路８に流れ込む。その後、循環加熱水路８の内部を流れる湯水は、循環加熱水路８の一部である循環水路４０の第１熱源部４０ｂが設けられている部分を通過する際に加熱されて、浴槽２に再度供給される。
【０１００】
ところで、風呂給湯装置１では、排出水路６、気泡供給水路７、及び、循環加熱水路８は、互いにそれぞれの一部を共用して形成されており、切換装置３８の動作によって、選択的に切り換えられる。
【０１０１】
そのため、風呂給湯装置１では、切換装置３８になんらかの異常が生じ、気泡供給運転の実行中に気泡供給水路７から循環加熱水路８に湯水が漏れ出してしまうと、タンク３０に湯水を十分に供給できずに、気体溶解水の生成が阻害されるおそれがある。そこで、風呂給湯装置１では、気泡供給運転又は追い焚き運転のために用いられている構成によって、異常を検知することができるように構成されている。
【０１０２】
以下においては、図４及び図６を参照して、制御装置３９が、切換装置３８に異常が生じているか否かの判定の際に実行する処理、及び、切換装置３８に異常が生じていると判定された際に実行する処理について説明する。図４は、風呂給湯装置１が追い焚き運転を実行する場合における系統図である。図６は、風呂給湯装置１が切換装置３８に異常が生じているか否かの判定の際に行う処理を示すフローチャートである。
【０１０３】
図４に示すように、追い焚き運転を行っているとき、風呂給湯装置１の水路は、循環加熱水路８にのみ湯水が循環する状態（第２状態）となっている。このとき、風呂給湯装置１の備えている弁及びポンプは、以下の状態になっている。
【０１０４】
閉止弁３１ａ：閉状態
第１ポンプ３１ｂ及び第２ポンプ３１ｃ：停止
気体導入弁３５ａ：閉状態
第１切換弁３６：第１水路３１と第４水路３４とを接続した状態
第２切換弁３７：第２水路３２の第２部分３２ｃと第３水路３３とを接続した状態
第３ポンプ４０ａ：駆動
注水弁４１ａ：閉状態
【０１０５】
この状態において、制御装置３９は、まず、タンク３０の内部の水位を検知する第１センサ３０ｂ、第２センサ３０ｃ及び第３センサ３０ｄによる検知の結果に基づいて、タンク３０の内部の水位が変化したか否かを判定する（図６／ＳＴＥＰ２１）。
【０１０６】
追い焚き運転の最中（すなわち、循環加熱水路８に湯水が循環している状態）においては、タンク３０には湯水の供給は行われないので、タンク３０の内部の水位は変化しない。
【０１０７】
そのため、追い焚き運転の最中に、タンク３０の内部の水位が変化した場合、切換装置３８に、なんらかの異常が生じている可能性がある。特に、タンク３０に湯水を供給するために（すなわち、気泡供給水路７に湯水を導入するために）開閉される閉止弁３１ａになんらかの異常が生じている可能性が高い。
【０１０８】
そこで、制御装置３９の異常判定部３９ｂは、循環加熱水路８に湯水が循環する状態であり、且つ、第１センサ３０ｂ、第２センサ３０ｃ及び第３センサ３０ｄがタンク３０の内部の水位の変化を検知したときに、切換装置３８になんらかの異常が生じていると判定する。
【０１０９】
水位が変化していないと判定された場合（ＳＴＥＰ２１でＮＯの場合）、制御装置３９は、所定の制御間隔で同じ判定を繰り返す。
【０１１０】
一方、水位が変化したと判定された場合（ＳＴＥＰ２１でＹＥＳの場合）、制御装置３９の切換制御部３９ａは、閉止弁３１ａを開状態にすることと、第１ポンプ３１ｂ及び第２ポンプ３１ｃを駆動することとを実行する（図６／ＳＴＥＰ２２）。
【０１１１】
この動作により、風呂給湯装置１の水路は、循環加熱水路８に湯水が循環するだけではなく、閉止弁３１ａを湯水が通過する状態（すなわち、気泡供給水路７にも湯水が導入される状態（第１状態））になる。
【０１１２】
次に、制御装置３９は、所定時間が経過するまで、第１状態を維持する（図６／ＳＴＥＰ２３）。
【０１１３】
次に、制御装置３９の切換制御部３９ａは、閉止弁３１ａを閉状態にすることと、第１ポンプ３１ｂ及び第２ポンプ３１ｃを停止することとを実行する（図６／ＳＴＥＰ２４）。
【０１１４】
この動作により、風呂給湯装置１の水路は、再び、循環加熱水路８にのみ湯水が循環する状態（第２状態）になる。
【０１１５】
このＳＴＥＰ２２〜ＳＴＥＰ２４までの処理及び動作は、切換装置３８の異常の回復を目的としたものである。
【０１１６】
すなわち、風呂給湯装置１では、気泡供給水路７又は循環加熱水路８に浴槽２の湯水を循環させている。そのため、浴槽２の湯水にゴミ等の異物が含まれていた場合には、その異物が切換装置３８を構成する閉止弁３１ａの内部に入り込んでしまい、閉止弁３１ａの動作を阻害して、切換装置３８に異常を生じさせているおそれがある。
【０１１７】
しかし、そのような異常は、切換装置３８の内部に一度湯水を流し込むことによって、その異常の原因となる異物が流されて、解消されることもある。
【０１１８】
そこで、風呂給湯装置１では、異常が生じていると判定されたときには、制御装置３９が、切換装置３８を一旦、第２状態から第１状態に切り換える処理（第１の処理）を行い、その後、第１ポンプ３１ｂ及び第２ポンプ３１ｃを一旦駆動させ、さらにその後、第１状態から第２状態に切り換える処理（第２の処理）を実行するように構成されている。
【０１１９】
これにより、風呂給湯装置１では、異常の原因が切換装置３８に入り込んだ異物等であった場合には、その異常を解消することができるようになっている。
【０１２０】
次に、制御装置３９は、再度、タンク３０の内部の水位を検知する第１センサ３０ｂ、第２センサ３０ｃ及び第３センサ３０ｄによる検知の結果に基づいて、タンク３０の内部の水位が変化したか否かを判定する（図６／ＳＴＥＰ２５）。
【０１２１】
水位が変化していないと判定された場合（ＳＴＥＰ２５でＮＯの場合）、制御装置３９は、異常が解消されたと判定し、今回の処理を終了する。
【０１２２】
一方、水位が変化したと判定された場合（ＳＴＥＰ２５でＹＥＳの場合）、制御装置３９は、異常が解消されなかったと判定し、風呂給湯装置１に設けられた不図示の出力装置（例えば、スピーカ、ディスプレイ等）を介して、ユーザに異常が生じている旨の報知を行い（図６／ＳＴＥＰ２６）、今回の処理を終了する。
【０１２３】
このように、風呂給湯装置１は、タンク３０の水位（具体的には、気体溶解水を浴槽２に供給する気泡供給水路７に介装されたタンク３０に設けられている第１センサ３０ｂ、第２センサ３０ｃ及び第３センサ３０ｄの検知結果）を用いて、切換装置３８に異常が生じているか否かの判定を行っている。
【０１２４】
ここで、気泡供給運転が可能な風呂給湯装置１においては、第１センサ３０ｂ、第２センサ３０ｃ及び第３センサ３０ｄのようなタンク３０の内部の水位を検知するセンサは、いずれも気体溶解水を生成するために一般的に用いられる構成である。
【０１２５】
そのため、風呂給湯装置１によれば、本来の機能である気泡発生運転又は追い焚き運転のために必要な構成の他に特別な装置を設けなくても、切換装置３８に異常が生じているか否かの判定を行うことができる。
【０１２６】
なお、本実施形態では、閉止弁３１ａについてのみ異常の解消を図る動作を実行しているが、そのような動作は閉止弁３１ａのみに行い得るものではなく、切換装置３８を構成する他の弁（具体的には、逆止弁３２ａ、第１切換弁３６及び第２切換弁３７）に対しても行い得るものである。それらの弁についても異常の解消を図る動作を実行する場合には、循環加熱水路８に湯水が流れる状態を維持しつつ、それらの弁を一旦切り換えるようにすればよい。
【０１２７】
具体的には、例えば、タンク３０の内部の水位が低下した場合に、第２切換弁３７に異常が生じている可能性があると判定される。そして、そのような判定がなされた場合、第２切換弁３７の異常が第２切換弁３７に入り込んだ異物を原因とするものであれば、第２切換弁３７を一旦開状態にすることによって、異常の解消を図ることができる。
【０１２８】
また、風呂給湯装置１では、制御装置３９の切換制御部３９ａは、異常判定部３９ｂが切換装置３８に異常が生じていると判定したときに、一旦、第２状態から第１状態に切り換えるとともに、第１ポンプ３１ｂ及び第２ポンプ３１ｃを駆動している。これは、異常の原因が切換装置３８を構成する弁に入り込んだゴミ等の異物であった場合に、湯水の流れによってその異物を流して、異常を解消するためである。
【０１２９】
しかし、本発明の風呂給湯装置は、このような構成に限定されるものではない。例えば、ポンプを駆動させずに、状態の切り換えのみを行ってもよいし、状態の切り換え及びポンプの駆動（すなわち、異常の解消を目的とする動作）を省略して、すぐに異常があった旨の報知を行うようにしてもよい。
【０１３０】
以上、図示の実施形態について説明したが、本発明はこのような形態に限られるものではない。
【０１３１】
例えば、上記実施形態では、切換装置３８は、排出水路６を介して浴槽２に湯水を排出させる状態と、気泡供給水路７に浴槽２の湯水を循環させる状態と、循環加熱水路８に浴槽２の湯水を循環させる状態とを、選択的に動作可能に構成されている。
【０１３２】
しかし、本発明の切換装置は、気泡供給水路に湯水を循環させる状態、及び、循環加熱水路８に湯水を循環させる状態を少なくとも含む複数の状態に選択的に動作可能なものであればよい。例えば、切換装置によって、湯はり運転又は足し湯運転の際の水路に湯水が循環する状態を動作可能となるように構成してもよい。
【符号の説明】
【０１３３】
１…風呂給湯装置、２…浴槽、２ａ…アダプタ、３…気泡発生装置、４…熱源機、５…水供給源、６…排出水路、７…気泡供給水路、８…循環加熱水路、３０…タンク、３０ａ…噴射ノズル、３０ｂ…第１センサ、３０ｃ…第２センサ、３０ｄ…第３センサ、３１…第１水路（湯水導入路）、３１ａ…閉止弁（湯水導入弁）、３１ｂ…第１ポンプ、３１ｃ…第２ポンプ、３２…第２水路、３２ａ…逆止弁、３２ｂ…第１部分、３２ｃ…第２部分、３３…第３水路、３３ａ…第３部分、３３ｂ…第４部分、３４…第４水路、３５…気体導入路、３５ａ…気体導入弁、３６…第１切換弁、３７…第２切換弁、３８…切換装置、３９…制御装置、４０…循環水路、４０ａ…第３ポンプ、４０ｂ…第１熱源部、４１…注水路、４１ａ…注水弁、４１ｂ…第２熱源部。
【図１】
2020122588.tif 000003
【図２】
2020122588.tif 000004
【図３】
2020122588.tif 000005
【図４】
2020122588.tif 000006
【図５】
2020122588.tif 000007
【図６】
2020122588.tif 000008